【手続補正書】
【提出日】平成18年2月9日(2006.2.9)
【手続補正１】
【補正対象書類名】特許請求の範囲
【補正対象項目名】請求項１
【補正方法】変更
【補正の内容】
【請求項１】
互いに重なり合う少なくとも２枚のシート部材が、前記シート部材の対向するシート面の少なくとも一方に塗布された接着剤を介して互いに接着された積層パネルにおいて、
前記接着剤が、曲折して一方向へ延びる独立した複数条の接着ラインを形成し、一条の前記接着ライン自体が曲折を繰り返す回数は、前記シート部材の寸法１ｍに対して５０〜２００回の範囲、一条の前記接着ライン自体が交差する回数は、前記シート部材の寸法１ｍに対して０〜２００回の範囲にあることを特徴とする前記パネル。
【手続補正２】
【補正対象書類名】明細書
【補正対象項目名】０００２
【補正方法】変更
【補正の内容】
【０００２】
特開平８−１９６５５９号公報は、透液性表面シートと、不透液性裏面シートと、表裏面シートの間に介在する吸液性コアとから構成され、保液層と繊維集合層とから形成されたコアが、ティッシュペーパー（透水性シート）で被覆され、コアとティッシュペーパーとが互いに重なり合う面のほぼ全域においてホットメルト接着剤で接着された使い捨ておむつを開示している。接着剤の塗布パターンとしては、点線が続いて一方向へ延びる複数条の直線を形成したドット状の塗布パターン、複数条の直線が一方向へ延びる縦縞状の塗布パターン、直線が互いに交差して延びる格子状の塗布パターン、複数条の曲線自体が交差して延びる螺旋状の塗布パターンが記載されている。
【手続補正３】
【補正対象書類名】明細書
【補正対象項目名】０００４
【補正方法】変更
【補正の内容】
【０００４】
接着力を強化するためには、接着剤を格子状のパターンまたは螺旋状のパターンで塗布することが好ましい。しかし、接着剤どうしまたは接着剤自体が交差する部位では、接着剤が重複して塗布されるので、交差しない部位と比較して接着剤の塗布量が増える。交差する部位では、ティッシュペーパーに滲入した接着剤がティッシュペーパーの繊維間隙を広範囲に塞いでしまう。ゆえに、接着剤の交差部位が多いと、接着剤がティッシュペーパーの透水性を妨げてしまうことがある。
【手続補正４】
【補正対象書類名】明細書
【補正対象項目名】０００７
【補正方法】変更
【補正の内容】
【０００７】
かかる前提において本発明は、前記接着剤が、曲折して一方向へ延びる独立した複数条の接着ラインを形成し、一条の前記接着ライン自体が曲折を繰り返す回数は、前記シート部材の寸法１ｍに対して５０〜２００回の範囲、一条の前記接着ライン自体が交差する回数は、前記シート部材の寸法１ｍに対して０〜２００回の範囲にあることを特徴とする。ここで、曲折とは、接着ラインが折れ曲がってジグザグに延びる場合、接着ラインが波状に起伏して延びる場合、接着ラインが方形波状に凸凹を画いて延びる場合を含む概念である。
【手続補正５】
【補正対象書類名】明細書
【補正対象項目名】０００８
【補正方法】変更
【補正の内容】
【０００８】
本発明は、以下の実施態様を有する。
（１）前記シート部材が、透液性表面シートと不透液性裏面シートとから形成され、前記パネルが、前記表面シートと前記裏面シートとの間に介在する吸液性コアを有して使い捨ての体液処理物品を構成し、前記表面シートと前記裏面シートと前記コアとが、前記表裏面シートの対向するシート面の少なくとも一方に塗布された前記接着剤を介して互いに接着されている。
（２）前記シート部材が、前記表裏面シートの間に介在して前記コアの表面を被覆する透水性シートを含み、前記コアと前記透水性シートとが、前記透水性シートの前記コアと対向するシート面に塗布された前記接着剤を介して互いに接着されている。
（３）前記物品が、前記コアの両側縁の外側で縦方向へ延びる一対のサイドフラップと、前記コアの両端縁の外側で横方向へ延びる一対のエンドフラップとを有し、前記サイドフラップと前記エンドフラップとが、前記表面シートの部分と前記裏面シートの部分とのうちの少なくとも前記裏面シートの部分で形成され、前記サイドフラップには、前記縦方向へ延びる弾性的に伸縮可能な一対の脚周り用弾性部材が配置され、前記エンドフラップの少なくとも一方には、前記横方向へ延びる弾性的に伸縮可能な胴周り用弾性部材が配置され、前記脚周り用弾性部材と前記胴周り用弾性部材とが、前記表面シートと前記裏面シートとの少なくとも一方の内面に前記接着剤を介して伸長状態で接着されている。
（４）前記物品が、前記コアの両側縁近傍で前記縦方向へ延びていて弾性的な伸縮性によって前記物品の上方へ起立性向を有する一対の液抵抗性防漏シートを有し、前記サイドフラップに位置して前記縦方向へ延びる前記防漏シートの外側部が、前記防漏シートの外側部の内面と前記表面シートの外面と前記裏面シートの外面とのうちの少なくとも一つに塗布された前記接着剤を介して前記サイドフラップに接着され、前記エンドフラップに位置する前記防漏シートの両端部が、前記物品の横方向内方と横方向外方とのいずれかに倒伏された状態で、前記防漏シートの両端部と前記表面シートの外面と前記裏面シートの外面とのうちの少なくとも一つに塗布された前記接着剤を介して前記エンドフラップに接着されている。
（５）前記接着剤の塗布量が、前記シート部材の面積１ｍ２に対して０．８〜８ｇの範囲にある。
（６）前記接着剤が、ホットメルト接着剤である。
（７）前記シート部材が、不織布とティッシュペーパーとである。
【手続補正６】
【補正対象書類名】明細書
【補正対象項目名】０００９
【補正方法】変更
【補正の内容】
【０００９】
本発明に係る積層パネルによれば、接着剤が曲折して一方向へ延びる独立した複数条の接着ラインを形成してシート部材に塗布されているので、接着剤の延びる方向とその延びる方向に交差する方向とのいずれに対しても、略同等の接着力でシート部材を接着することができ、シート部材の剥離を防ぐことができる。
【手続補正７】
【補正対象書類名】明細書
【補正対象項目名】００１０
【補正方法】変更
【補正の内容】
【００１０】
接着ラインでは、シート部材の寸法１ｍに対して接着ライン自体の曲折を繰り返す回数が、５０〜２００回の範囲にあり、シート部材の寸法１ｍに対して接着ライン自体が交差する回数が０〜２００回の範囲にあるので、塗布された接着剤がシート部材へ滲入してシート部材の繊維間隙が塞がれたとしても、繊維間隙が塞がれる範囲を最小限にすることができ、シート部材が有する透液性や透水性を妨げることはない。
【手続補正８】
【補正対象書類名】明細書
【補正対象項目名】００２１
【補正方法】変更
【補正の内容】
【００２１】
接着剤Ｂ１〜Ｂ５は、おむつ１の縦方向へ波状に起伏して延びる独立した複数条の接着ラインＬを形成している。接着ラインＬでは、隣接する接着ラインＬどうしが互いに交わることなく延び、接着ラインＬ自体の交差する部位３０が点在している。接着剤Ｂ１〜Ｂ５は、表裏面シート２，３とティッシュペーパー４と防漏シート６とターゲットテープ１０とにムラなく略均一に塗布されている。
【手続補正９】
【補正対象書類名】明細書
【補正対象項目名】００３０
【補正方法】変更
【補正の内容】
【００３０】
図４は、表裏面シート２，３とティッシュペーパー４と防漏シート６とターゲットテープ１０とのいずれかのシート部材に塗布された接着剤Ｂ１〜Ｂ５の接着ラインＬを示す図であり、接着剤Ｂ１〜Ｂ５の一部を省略して示す。一条の接着ラインＬが曲折を繰り返す回数は、シート部材の縦方向の寸法１ｍに対して５０〜２００回の範囲、好ましくは１００〜１５０回の範囲であり、一条の接着ラインＬが交差する回数は、シート部材の縦方向の寸法１ｍに対して０〜２００回の範囲にある。接着ラインＬが曲折を繰り返す回数は、接着ラインＬのひとつの山部の頂点を基準とした場合、その山部の頂点から隣接する山部の頂点までを１回として計数したものである。接着ラインＬが交差するとは、接着ラインＬ自体が互いに交わることの他に、接着ラインＬ自体が互いに当接することを含むものである。
【手続補正１０】
【補正対象書類名】明細書
【補正対象項目名】００３１
【補正方法】変更
【補正の内容】
【００３１】
接着ラインＬの曲折を繰り返す回数が５０回未満であると、隣接する山部どうしの間の間隔が大きくなるので、接着ラインＬが直線に近くなり、接着ラインＬの延びる方向における接着剤の接着力が弱くなってしまう。接着ラインＬの曲折を繰り返す回数が２００回を超えると、接着ラインＬ自体の交わる回数が前記２００回を超えてしまうことがある。
【手続補正１１】
【補正対象書類名】明細書
【補正対象項目名】００３２
【補正方法】変更
【補正の内容】
【００３２】
接着ラインＬが交差する部位３０では、表面シート２とティッシュペーパー４とに滲入した接着剤Ｂ１，Ｂ３が表面シート２とティッシュペーパー４との繊維間隙を広範囲に塞いでしまう。ゆえに、接着ラインＬ自体の交差する回数が２００回を超えると、表面シート２の透液性やティッシュペーパー４の透水性を妨げてしまう。体液が表面シート２からティッシュペーパー４へ、さらに、ティッシュペーパー４からコア５へ円滑に移行しないので、コア５の吸液性を十分に活用することができない。また、接着剤Ｂ３がティッシュペーパー４に滲入しない場合でも、接着ラインＬが交差する部位３０において、接着剤Ｂ３がティッシュペーパー４の内面で広がってコア５の表面を被覆し、コア５の吸液性を妨げてしまうこともある。